(57)【要約】 【課題】折り畳まれて封印されたパック用シートを展開し、顔面にゲルシートを造作なく貼れる包装体を提供する。【解決手段】ゲル状のフェイスマスクと剥離シートとが共に折り畳まれて封入されている包装袋から、左右対称に折られた縁にはつまみ用の突出部や突端部を設けて打ち抜かれ、互いのつまみ部を反対方向に引っ張ることで素早く平面体に展開できる構成であり、ゲルシートの両面のいずれか片方の面には、川の字に似たる並びで併せ合う互いの縁部はそれぞれ１箇所或いは数箇所を切り残しとする部位を形成したフィルム或いは１枚のフィルム若しくは複数枚のフィルムを並べて併せ打ち抜かれ、顔面に貼り付けながらフィルムをスムーズに剥がすことができる構成とする。【選択図】    図１
2013022357.tif 000002
【特許請求の範囲】
【請求項１】
ゲルシートの両面のいずれかの片方の面にフィルムを併せて、ほぼ顔面の額上部から顎先端部分までを覆うことができる平面体に打ち抜かれたパック用シートであり、この平面体のうち顔面対応部分には、左右の鼻翼を結ぶ水平方向の切り込み線を入れ、この切り込み線を下端として直ぐ真上には鼻筋に沿ってハ字状或いは縦方向に走るミシン目状の切り込み線を複数列形成し、左右の眼にそれぞれ対応した箇所には横長の楕円孔を、且つ左右双方の外側の打ち抜き縁部にはつまみ用の突出部をそれぞれ設け、口部に対応した箇所には横長の楕円孔を設けたパック用シート。
【請求項２】
ゲルシートの両面のいずれかの片方の面にフィルムを併せて、ほぼ顔面の額上部から顎先端部分までや顎先裏部を経て喉部までを加えて、左右下顎両辺部の突端部から喉部や首元部分までを連続して膨らませて結ぶ略翁形状の平面体に打ち抜かれたパック用シートであり、この平面体のうち顔面対応部分には、左右の鼻翼を結ぶ水平方向の切り込み線を入れ、この切り込み線を下端として直ぐ真上には鼻筋に沿ってハ字状或いは縦方向に走るミシン目状の切り込み線を複数列形成し、左右の眼にそれぞれ対応した箇所には横長の楕円孔を、左右の目尻からこめかみにかけての部分に対応して波紋状に広がる複数本のミシン目状の切り込み線をそれぞれ形成し、左右の波紋状に広がる複数本のミシン目状の切り込み線は目尻の端の上部及び下部を始点とし、平面体の周縁直前を終端とした２本の直線で挟んで或いは下部に１本の直線で他と区分し、且つ左右双方の外側の打ち抜き縁部にはつまみ用の突出部をそれぞれ設け、左右双方の両頬部に対応した部分には鼻筋方向と同じ縦方向に延びる横方向に並列したミシン目状の切り込み線を複数列設け、口に対応した箇所には横長の楕円孔を設け、口元左右両端部のほうれい線に対応する領域にはハ字状に走る複数列のミシン目状の切り込み線を設けたパック用シート。
【請求項３】
パック用シートは口に対応した箇所に略横長の楕円孔を設け、左右の口元から両頬部の下を経て平面体の打ち抜き縁部直前に至るまでの部分に、横長の切りこみ線をそれぞれ設け、且つこれに連続して左右下顎両辺部にはリフティングのためのつまむ突端部を左右双方に設け、左右下顎両辺部の突端部から喉部や首部までを膨らませて結ぶ略翁形状であり、下顎裏から首の中ほどを経て喉部や首部を膨らませて輪郭線が交わる手前を終端とする略Ｓ字の切り込み線を設け、顎先端部分から喉部までや首部を覆う形状とした請求項２に記載のパック用シート。
【請求項４】
ゲルシートの両面のいずれかの片方の面にフィルムを併せて、顔面の額上部から両眼そして鼻部を経て人中までや口部を経て口部下までを覆うことができる上部のパック用シートと、口部から顎先端部分を経由して、喉部や首部までを連続して覆うことができる、左右下顎両片部の突端部から喉部までや首部までを覆うことができる下部パック用シートのそれぞれは平面体に打ち抜いて、上部と下部の２枚に分割されたセパレーツ型のパック用シートであって、上部パック用シートの平面体のうち顔面対応部分には、左右の鼻翼を結ぶ水平方向の切り込み線を入れ、この切り込み線を下端として直ぐ真上には鼻筋に沿ってハ字状或いは縦方向に走るミシン目状の切り込み線を複数列形成し、左右の眼にそれぞれ対応した箇所には横長の楕円孔を、左右の目尻からこめかみにかけての部分に対応して波紋状に広がる複数本のミシン目状の切り込み線をそれぞれ形成し、左右の波紋状に広がる複数本のミシン目状の切り込み線は目尻の端の上部及び下部を始点とし、平面体の周縁直前を終端とした２本の直線で挟んで或いは下部に１本の直線で他と区分し、且つ左右双方の外側の打ち抜き縁部にはつまみ用の突出部をそれぞれ設け、左右双方の両頬部に対応した部分には鼻筋方向と同じ縦方向に延びる横方向に並列したミシン目状の切り込み線を複数列設け、口に対応した箇所には横長の楕円孔を設け、口元左右両端部のほうれい線に対応してハ字状に走る複数列のミシン目状の切り込み線を設け、上部パック用シートは額の上部から鼻部を経て人中までや額の上部から口部を経て口元下部までを覆う形状であり、下部パック用シートは口に対応した箇所には横長の楕円孔を形成し、これに連続して顎先端部分から喉部までや首部までを加える形態は、左右下顎両辺部にはリフティングのためのつまむ突端部を左右双方に設け、左右下顎両辺部の突端部から喉部や首部までを膨らませて結ぶ略翁形状であり、下顎裏から首の中ほどを経て喉部や首部を膨らませて輪郭線が交わる手前を終端とする略Ｓ字の切り込み線を設け、外周縁部は人中から左右両頬部へ下顎両片部を経て喉部までや首部を覆う形状としたセパレーツ型のパック用シート。
【請求項５】
平面体の左右双方のこめかみ縁部に設けたつまみ用の突出部は互いを上下にずらして設けることを特徴とする請求項１から４のいずれかに記載のパック用シート。
【請求項６】
平面体には内側から周縁方向に、フィット調整のための切り込み線の先端を周縁手前に終端させ周縁を千切るための目印である楔形状先を対向させることを特徴とする請求項１から５のいずれかに記載のパック用シート。
【請求項７】
ゲルシートの両面のいずれかの片方の面に併せるフィルムは、川の字に似たる並びで互いの縁部はそれぞれ１箇所或いは複数箇所を切り残しとする部位をもってそれぞれ繋がっていることを特徴とする請求項１から６のいずれかに記載のパック用シート。
【請求項８】
ゲルシートの両面のいずれかの片方の面に併せるフィルムは、川の字に似たる並びの複数枚を併せ或いは１枚のフィルムを併せて打ち抜かれることを特徴とする請求項１から６のいずれかに記載のパック用シート。
【請求項９】
ゲルシートの両面のいずれかの片方の面にフィルムを併せて、顔全体や喉部そして首部を加えて平面体に打ち抜かれたパック用シートであって、左右対称とする鼻筋の縦方向を軸としてフィルムの面を背に互いを併せる方向で左右対称の２つに折られ、更に上と下部を併せて２つに折り、或いはフィルムの面を背に互いを併せる方向で左右対称の２つに折って縦方向の真ん中を軸に凡そ左右の互いの縁部を折り合わせて上部と下部を併せて２つに折り、これらはこめかみ縁部のつまみ用の突出部又は左右下顎両辺部のつまみ用の突端部の双方或いはいずれかは、折り畳まれた状態で目印となる外に出して、薬事に適した袋に封入して美容液充填、含浸して封印を行うことを特徴とする請求項１から７のいずれかに記載のパック用シートの包装体。
【請求項１０】
ゲルシートの面を顔に向けて、造作なくほぼ顔面全体を覆うことができる仕組みであり、顔面の額部分は横方向の皺に対応させて左右双方の両指の腹で額の中央からそれぞれ額の端の左右外の方向に数回馴染ませるように延ばし貼り付け、両眼の部位は左右双方の目尻からこめかみへの皺に対応して、フィットを調整するための内側からの外方向への切り込み線の終端先と対向する楔状の周縁目印のつなぎの部分を千切り外して、右の部分は左指先で目尻部を押さえ貼り付けながら、こめかみ周縁の突出部を右指で外方向に引っ張ると、弓状のミシン目状の切り込み線の複数列は外側方向に延び拡がり、突出部を引っ張りながら左の指の腹で強制的に馴染ませフィットさせるもので、左の部分も右の用法に準じて行うものであり、鼻部は鼻の下横方向の切り込み線と鼻尖と鼻尖の目印とを合わせて徐々に貼り付けた状態で、左右双方の両指の腹で鼻部の両側面から鼻筋に沿ってなぞり小鼻の溝には指先を差してフィットさせて、連続する頬部は小鼻の溝部を指先で抑え頬部の端を摘まみ、ほうれい線部には外横方向の少々頬部を持ち上げ気味に左右双方の下顎突端部を引っ張り、頬部とほうれい線部は強制的に上方向にフィットされものであって、ゲルシートに併せたフィルムは突出部の縁や川の字状に併せたそれぞれの縁からフィルムを剥がし、ゲルシートをなぞり、突出部や突端部縁をもって貼り付ける美容用法を行うことを特徴とする請求項１から９のいずれかに記載のパック用シート。
【発明の詳細な説明】
【技術分野】
【０００１】
本発明は、ゲル状のフェイスマスクと剥離シートとが共に（以下これらをパック用シートと略称する）折り畳まれて封入されている包装袋から取り出し容易に平面体に展開させて、ゲル状のフェイスマスクシートの面を造作なく顔面に貼り付けながら、剥離シートをスムーズに剥がせる用法及び包装体に関する。
【０００２】
さらに詳しくは、ゲル状シートに併せて共に折り畳まれる剥離シートは撥水性や伸縮性を有するフィルム又は不織布（以下これらをフィルムと略称する）であり、ゲル状シートの両面のいずれか片方の面に併せるものでこれらは同時に刃型で打ち抜かれるものである。
【０００３】
折り畳まれる好ましいパック用シートの形態は、平面体の顔の上から下の左右対称とする真ん中の線上に鼻筋や下顎中央部を対応させて領域には縦方向やハ字状に走るミシン目状の切り込み線を複数列設けて、顔面に貼り付けるゲル状シートの面を表面にして、裏面にはフィルムを併せ左右対称の裏面と裏面が二つに折り合わさって畳まれるものであって、縁部に設けた左右双方のつまみ用の突出部や突端部は指でつまみ容易に平面体に広げられるものである。
【背景技術】
【０００４】
従来品のパック用シートはフィルムや不織布を用いてゲル状シートを両面から真ん中にして挟み込んだ３枚で構成される状態であり、ほぼ顔面を覆うことができる或いは顔上部と顔下部に分けての貼りつけられるように構成されて折り畳まれて、使用する際には３枚のシートからゲル状のシートのみを剥がして顔面に貼り付けるものであって、ゲル状シートには美容液の含浸やシート体には美容効果が得られる原料を含ませて（以下これらをゲルシートと略称する）形成している。
【０００５】
これらパック用シートの平面体には、輪郭や概ねフィット調整の切り込み線や両眼、口に対抗する部分には切り欠き孔を設け、刃型で打ち抜くことによって形成されている。
【先行技術文献】
【特許文献】
【０００６】
【特許文献１】特開２００４−００２２５３号
【特許文献２】特開２０１１−０１５７０６号
【特許文献３】特許４３５２４１６号
【特許文献４】特許４６４８４９４号
【特許文献５】特許４７０５１９８号
【発明の概要】
【発明が解決しようとする課題】
【０００７】
本発明が解決しようとする課題は、従来のパック用シートの形態は、顔面に貼り付けるゲルシートをポリプロピレンフィルムや不織布を用いて両面から真ん中に挟み込んで３枚構成にしたものであることから、剥がし取りだすゲルシートは粘着性や軟性であるであることから、近年増加し続けるネイルコスメでの爪先を長く或いはネイルアートを爪に施された更には年輩者にある老眼の方々には、折り畳まれた状態からスムーズに平面体に展開し更にゲルシートを挟むための２枚のフィルムを剥離させる或いは切り込み線の互いが絡まり造作は容易でなく、従来品は展開操作や展開時間に問題があるのでこれらをスムーズに行えることの対応策を講じることが必要だ。
【課題を解決するための手段】
【０００８】
前記課題であるパック用シートを構成するための本発明は、折り畳まれた状態のパック用シートをスムーズに平面体に展開するための工夫には、刃型で打ち抜かれた平面体の左右双方のこめかみの縁にはつまみ用の突出部や左右双方の下顎両端端部にはつまみ用の突端部を左右対称に設けて打ち抜かれ、折り畳まれた状態にある、目印となる互いの突出部や突端部のつまみ部をつまんで、観音開きのように広げ或いはそれぞれ左右反対の方向に引っ張ることは、表面の美容液と裏面のシートが絡みを無くする役目をして素早く平面体に展開できる構成とする。
【０００９】
続いて、ゲルシートの両面のいずれか片方の面にフィルムを併せる効果は、ゲルシートは粘着性がありゲルとゲルとがくっ付くことの防止の効果や軟性であるために補強の効果をそれぞれ得るものである。
【００１０】
更には、ゲルシートの両面のいずれか片方の面に併せるフィルムは、川の字に似たる並び方で互いの縁部はそれぞれ１箇所或いは複数箇所を切り残しとする部位をもって繋がっているフィルム或いは１枚のフィルム若しくは任意の方向に対して川の字のように並べた複数枚のフィルムを併せるものであり、ゲルシートの面を顔面に向けて貼り付けながら、パック用シートからフィルムをスムーズに剥がすことができる構成であることから、顔面にはゲルシートのみが貼り付けられた状態となるものである。
【００１１】
本発明のパック用シートを構成するゲルシートの厚みは凡そ８０ミクロンであって、片方のいずれかの面に併せるフィルムの素材と目付量は、スパンボンド製法であるポリエステルテレフタレートとポリプロピレン等の化学繊維を素材とする撥水性の不織布であって、目付量は凡そ２５（ｇ/ｍｍ２）を用いてこれらは併せて同時に刃型によって打ち抜かれる。
【００１２】
続いて、実施するパック用シートの形態は３つのタイプの平面体に打ち抜かれるものであって、ほぼ顔を覆う丸型の額の上部から下顎部分まで２２０ｍｍ左の頬部の縁から右の頬部の縁までは２１０ｍｍの形状であり、丸型に顎裏から喉部や首部を加えた額の上部から凡そ２６０ｍｍ左の突端部の縁から右の突端部までは２２０ｍｍの形状で、セパレーツ型は額の上部から首部の凡そ２６０ｍｍを顔上部分と顔下部分に分けて覆う形態である。
【００１３】
それぞれのパック用シートの平面体には、輪郭や概ね両眼に対応する切り欠き孔或いはフラップと称する両眼を覆う蓋状となる切り欠き線を設け、且つ左右両眼の孔の左右双方の目尻からこめかみの領域には波紋状に広がる弓状のミシン目状の切り込み線を複数列設けて、左右の波紋状に広がる複数本のミシン目状の切り込み線は目尻の端の上部及び下部を始点とし、平面体の周縁直前を終端とした２本の直線で挟んで或いは下部に１本の直線で他と区分し、更には左右双方の縁部にはつまみ用の突出部を設け或いはつまみ用の突出部は互いを上下にずらして設け、鼻部に対応する鼻筋の縦方向には縦方向やハ字状に走るミシン目状の切り込み線を複数列設け、口部に対応する箇所には長軸の楕円孔或いは複数の孔を設け、口元左右両端部のほうれい線に対応する領域にはハ字状に走る複数列のミシン目状の切り込み線を設ける。
【００１４】
前記に喉部までや首元部までを加える形態は、左右下顎両辺部にはリフティング用のつまむ突端部を設け、周縁部には周縁を千切るための楔形状の目印とフィット調整のための周縁手前に終端する切り込み線の先端を対向させて左右双方に設け、左右下顎両辺部の突端部から喉部や首元部分までを膨らませて結ぶ略翁形状であり、下顎裏から首の中ほどを経て喉元や首元部分を膨らませて輪郭線が交わる手前を終端とする略Ｓ字の切り込み線を設ける。
【００１５】
図４は、図１のパック用シートの平面体に打ち抜かれたゲルシートの面を上に、フィルムはゲルシートの裏面に併せて、鼻筋の縦方向を軸として、左右双方の縁部のつまみ用の突出部の互いの裏面は、裏面に併せたフィルムの面に互いを向き合わせる左右対称の二つに折りである。
【００１６】
続き、図５は前項に折られたパック用シートを更に凡そ左右の互いの縁部を折り合わせ、この際こめかみ縁部のつまみ用の突出部の一部又は左右下顎両辺部のつまみ用の突端部の双方はいずれかを折り畳まれてつまむ目印となる外に出して、突出部へのつまみが可能な二つ折りとするものである。
【００１７】
図６は、更に前項に折られたシート体を上と下を折り合わせて畳み、封入して美容液充填、含浸して封印を行うことを特徴とする包装体である。
【発明の効果】
【００１８】
本発明品を袋から取り出すと、パック用シートを手早く平面体に展開するための目印となるつまみ用の突出部や突端部があって、左右それぞれつまみ部をつまんで観音開きのように開き或いは互いのつまみを互い反対方向に引くことで容易に平面体に展開ができて、ゲルシートの面を顔に向けて造作なく顔面に貼り付けられて、併せたフィルムは川の字状に並べたもので１箇所又は複数の箇所が繋がって或いは１枚のフィルムで構成されたものであって、突端部の縁やそれぞれの縁から容易に千切り剥がすことができるもので、爪先を長く或いはネイルアートを施された更には年輩である老眼の方々にもそれぞれの造作は容易であり、顔面には手早くスムーズに貼り付けられるものであるものから、使用者には大切なことである次の化粧お手入れのイメージが楽しく描けるものである。
【００１９】
従来品パック用シートのゲルシートをフィルムや不織布を用いて両面から真ん中に挟み込む３枚構成から本発明の２枚への構成にする本発明は、量産する作業工程や材料それに作業人員そして時間の削減を行うことが可能で又量産スピードも上げられて、コスト削減に繋がり価格もリーズナブルに提供できる。
【図面の簡単な説明】
【００２０】
【図１】本発明品でほぼ顔面全体を覆う丸型の平面体に打ち抜かれ鼻筋を軸に左右対称に折り畳む状況の平面図
【図２】本発明品の使用状態でパック用シートからフィルムを剥がす状態の説明図
【図３】本発明品で丸型のパック用シートを打ち抜く状況の平面図
【図４】図１を左右対称に折り畳まれた平面図
【図５】図４を更に左右を合わせて折り畳む状況の平面図
【図６】図５を上と下を概ね合わせて折り畳んで封入し、美容液を充填含浸して封印された包装体
【図７】平面体に打ち抜かれた左右両眼に対応するフラップ仕様のパック用シート
【発明を実施するための形態】
【００２１】
本発明の実施例における使用の用法を図２に基づいて説明する。
【実施例】
【００２２】
本発明の実施例は、折り畳まれて封印されたパック用シートを袋から取り出し平面体に展開して、ゲルシートの面を顔に向けて、造作なくほぼ顔面全体を覆うことができる仕組みであり、左右双方のつまみ用の突出部をつまんで互い反対方向に引っ張ることや互いの突出部を観音開きのように広げることにより平面体となって、貼り付けるときは両目尻の縁部辺りや突出部をつまんで両眼や中央部ほぼ台形の鼻部を目安に、ゲルシートの面を顔に向けて貼り付けるものである。
【００２３】
顔面の額部分は横方向の皺に対応させて左右双方の両指の腹で額の中央からそれぞれ額の端の外の方向に数回馴染ませるように延ばし貼り付けるものであり、両眼の部位は左右双方の目尻からこめかみへの皺を意識して、フィットを調整するための内側からの外方向への切り込み線の終端先と対向する楔状の周縁目印のつなぎの部分を指で千切り外して、右の部分は左指先で目尻部を押さえ貼り付けながら、こめかみ周縁の突出部を右指で外方向に引っ張ることが弓状のミシン目状の切り込み線の複数列は外側方向に延び拡がり、突出部を引っ張りながら左の指の腹で強制的に馴染ませフィットさせるもので、左の部分は右の用法に準じて行うものである。
【００２４】
鼻部は鼻の下横方向の切り込み線と鼻尖と鼻尖の目印とを合わせて徐々に貼り付けた状態で、
左右双方の両指の腹で鼻部の両側面から鼻筋に沿ってなぞり小鼻の溝には指先を差してフィットさせる。
【００２５】
連続する頬部は小鼻の溝部を指先で抑えながら頬部の端を摘まみ又ほうれい線部においては外横方向の少々頬部を持ち上げ気味に左右双方の下顎突端部を引っ張ると頬部とほうれい線部は強制的に上がりフィットされものである。
【００２６】
平面体の左右下顎両辺部の突端部から喉部や首元部分までを膨らませて結ぶ略翁形状の、下顎裏から首の中ほどを経て喉元や首元部分を膨らませて輪郭線が交わる手前を終端とする略Ｓ字の切り込み線を設けた両片部の用法は、左右互いのシート片部を和服の着付ける襟を重ね合わせて、弛みを省くが如く、左の頬部を押さえて左のシート片部を右手で馴染ませ貼りつけて更に右の頬部を押さえて右のシート片部を右手で馴染ませ貼りつけて、左右双方に設けた突端部を引き上げることで強いリフトアップを体感するものである。
【００２７】
顔面に貼り付けて両指の腹で馴染ませた後に、ゲルシートに併せたフィルムを突出部の縁や川の字状に併せたそれぞれの縁からフィルムを順に剥がし取り除き、輪郭線に内側から手前に施された切り込み線の先端部である連続部分を指で千切り、ゲルシートを貼り付けている美容用法の時間は凡そ１５分程度である。
【符号の説明】
【００２８】
１      顔面に貼り付ける、表面とするゲルシートの平面体
２      ゲルシートの裏面とする面に併せるフィルムの平面体
３      本発明品のパック用シートの一つの線で繋がった輪郭線縁部
４      両眼部に対応する切り欠き孔
５      こめかみ部の弓状に走る複数列のミシン目状切り込み線
６      鼻部の縦方向やハ字状に複数列走るミシン目状の切り込み線
７      両頬部の複数列に設けたミシン目状の切り込み線
８      鼻下端部に対応する横方向の切り込み線
９      鼻尖の異形の目印
１０    口部に対応する切り欠き孔
１１    左右の両小鼻下から口元端部に走るハ字状の複数列の切り込み線
１２    こめかみ縁部のつまみ用突出部分
１３    つまんでリフトアップをするための左右頬両端部
１４    フィット調整の切り込み線
１５    輪郭線の達する手前に施された切り込み線の隙間
１６    対向する切り込み線で輪郭線を切り離す部位の目印
１７    互いの裏面を合わせる左右対称に折られる方向
１８    凡そ左右対称とする真ん中の軸
１９    ゲルシートの裏面のフィルムがスリットされている線
２０    裏面のスリットされているフィルムが切り残しの部分で繋がっている部位
２１    左右双方の両眼個々に対応して覆うフラップ
２２    フラップのつまみ部分
２３    目の領域を覆うシートを脱着できるフラップ形態の切り込み線
２４    フラッ形態の互いの切り込み線が対向する切り残し部
２５    パック用シートのロール
２６    パック用シートのロール引っ張る方向
【図１】
2013022357.tif 000003
【図２】
2013022357.tif 000004
【図３】
2013022357.tif 000005
【図４】
2013022357.tif 000006
【図５】
2013022357.tif 000007
【図６】
2013022357.tif 000008
【図７】
2013022357.tif 000009
【手続補正書】
【提出日】平成24年7月18日(2012.7.18)
【手続補正１】
【補正対象書類名】特許請求の範囲
【補正対象項目名】全文
【補正方法】変更
【補正の内容】
【特許請求の範囲】
【請求項１】
ゲル状シートと、前記ゲル状シートの両面のいずれか片方の面に貼りあわせるフィルムとを備えるパック用シートであって、
前記フィルムは、川の字に似たる並び方で互いの縁部はそれぞれ１箇所或いは複数箇所を切り残しとする部位を以って繋がり貼りあわせるものであり、
パック用シートは、前記フィルムの川の字に似たる並び方向に合せて折り畳まれて、左右双方にはつまみ用の突出部や突端部を設け、
前記つまみ用の突出部又は突端部を摘まんで、それぞれ左部は左の方向に、右部は左の方向に引っ張ることで平面体に展開できる状態で包装体に封入しているパック用シート。
【請求項２】
前記パック用シートは、前記フィルムの川の字に似たる並び方向に、顔の鼻筋の縦の方向を合せて左右対称の二つに折り畳まれて、
更に凡そ左部と右部の互いの縁部のこめかみ外側縁部のつまみ用の突出部又は左右下顎両辺部のつまみ用の突端部のそれぞれの少なくとも一方は、折り畳まれてつまむ目印となる、折り畳みの縁の外に出して二つ折りに畳まれて、
前記突出部へのつまみが可能な二つ折りに畳まれたパック用シートの上部と下部を折り合わせて、美容液を含浸させて封入する請求項１に記載のパック用シート。
【請求項３】
前記パック用シートに貼りあわせる前記フィルムは、川の字に似たる並び方で互いの縁部は１箇所或いは複数箇所を切り残しとする部位を形成する、及び／又は、川の字に似たる並び方の１枚若しくは複数枚のフィルムを並べるものであり、
前記左右対称に折り畳まれる前記フィルムは背中合わせの状態である請求項１又は２に記載のパック用シート。
【請求項４】
前記パック用シートの、顔の上から下の左右対称とする真ん中の線上に鼻筋を対応させて、左右の鼻翼を結ぶ線を下端とし、縦方向やハ字状に走るミシン目状の切り込み線を複数列設ける請求項１から３のいずれかに記載のパック用シート。
【請求項５】
前記パック用シートにフラップ形状を設けるための目尻付近と目頭付近からの互いの切り込み線先端を上部で対向させる切り込み線を両眼に対応する位置に設けた請求項１から４のいずれかに記載のパック用シート。